(57)【特許請求の範囲】
【請求項１】
建物の開口部に、その前側から後側に向けて枠体を嵌め入れ、該枠体を該開口部の内面にネジ釘を以って固定するに際し、該枠体と前記開口部の内面との間に形成された隙間に介在させるために用いられる建物の開口部用スペーサであって、
樹脂製の、０．３〜１．０ｍｍの肉厚を有する、略同一肉厚の長方形板状のスペーサ片の複数枚が、向きを合致させて重ね合わせられると共に、各スペーサ片は、前記ネジ釘の軸部を導入させる導入溝が、一方の短辺で開放し且つ他方の短辺に向けて延長する如く構成されており、該他方の短辺において相互が分離可能に接合されてなり、且つ、該導入溝の開放端寄り部分は、その幅が、前記ネジ釘の軸部の径よりも小さい幅狭部とされ、該幅狭部から開放端に向かう部分は末広がりの案内部に形成されており、又、前記スペーサ片は、前記導入溝の奥端の両側に、前記ネジ釘を嵌め入れるための嵌入凹部が連設されていることを特徴とする建物の開口部用スペーサ。
【発明の詳細な説明】
【０００１】
【発明の属する技術分野】
本発明は、建物の開口部用スペーサに関するものである。より詳しく、建物の開口部に枠体を嵌め入れ、該枠体を該開口部の内面にネジ釘を以って固定するに際し、該枠体と開口部の内面との間に形成された隙間に介在させるために用いられる建物の開口部用スペーサに関するものである。
【０００２】
【従来の技術】
例えば図３１〜３３に示すように建物の窓の開口部ａに、上下の枠ｂ，ｃと左右の枠ｄ，ｅを矩形に枠組みしてなる窓用の枠体（サッシュ）ｆを、その前側から後側に向けて嵌め入れ、該枠体ｆを該開口部ａの内面ｇにネジ釘ｈを以って固定する従来の施工方法においては、開口部ａに枠体ｆを嵌め入れ易くするため、該開口部ａの内法を枠体ｆの外法よりも若干大きく形成していた。なお図３２においては、説明の便宜上、ネジ釘ｈを実線で示している。
【０００３】
そのため例えば図３２に示すように、該枠体ｆの下の枠ｃを開口部の下の面ｊに当接させて該枠体ｆを開口部ａに嵌め入れた際、前記上の枠ｂと開口部の上の面ｋとの間、前記左の枠ｄと開口部の左の面ｍとの間、前記右の枠ｅと開口部の右の面ｎとの間に、１０ｍｍ前後、一般に８〜１２ｍｍ程度の隙間ｐ，ｐ，ｐが生じた。
【０００４】
このように隙間が生じたままで、左右の枠ｄ，ｅと上の枠ｂを、開口部の内面ｇにネジ釘ｈを以って固定したとすれば、これらの枠が内面ｇから浮いた状態にあるために、ネジ釘ｈを締め付けた部分で枠が変形する恐れがある。又ネジ釘を締め付けた部分に隙間が発生していることから、ネジ釘の締め付け状態が不安定化して開口部ａに対する枠体ｆの固定が安定しない問題が生ずることになる。
【０００５】
そこで従来においては、図３２〜３３に示すように、枠体ｆをネジ釘ｈを用いて開口部ａの内面ｇに仮締めした後、前記隙間に、該ネジ釘のねじ込み部分を避けてスペーサｑを挿入し、然る後に該ネジ釘ｈを本締めすることにより、枠体ｆを開口部ａの内面ｇに固定することが行われていた。
【０００６】
そしてこのスペーサｑは、例えば、現場で発生した端材（ベニヤ板の切れ端等）を適当な形状寸法にカットして形成していた。或いは施工現場によっては、ベニヤ板を長方形状等の一定寸法にカットして予めスペーサ片を形成しておき、これを現場に搬入し、その所要枚数を重ね合わせてスペーサとしていた。
【０００７】
【発明が解決しようとする課題】
しかしながら、前記端材を用いてスペーサを形成せんとする場合は、スペーサの厚さが前記隙間に合いにくい問題があった。又、適当な端材がないときや、スペーサの厚さが隙間に合わないときは、現場にある材料を適当厚さに加工してスペーサを形成しなければならず、そのために多くの手間を要する問題があった。
【０００８】
又、ベニヤ板を用いて事前にスペーサ片を形成する場合は、ベニヤ板の最低肉厚が２．３ｍｍであったため、この寸法以下にはスペーサの厚さ調節ができない問題があった。そのため、現場にある材料を適当厚さに加工してスペーサを形成しなければならず、そのために多くの手間を要する問題があった。
【０００９】
更に、従来の施工方法においては、枠体ｆを開口部ａに固定するに際して、前記のように、ネジ釘ｈを仮締めした後にスペーサｑを隙間ｐに挿入し、然る後に該ネジ釘ｈを本締めする工程を経ていたため、スペーサをネジ釘の両側には挿入できても、ねじ込み部分には配置することができなかった。そのため、ネジ釘の締め付け荷重が最も加わるネジ釘締めつけ部分の隙間ｐ１をスペーサで埋めることができず、ネジ釘による締め付け部分ｓが前記内面ｇから浮いた状態になり、枠体ｆを開口部ａの内面ｇに確実に固定し難い問題があった。
【００１０】
このように従来の施工方法においては、枠体ｆを開口部ａに固定するに際して、枠と開口部の内面にスペーサを挿入する施工に多くの手間を要して施工能率が悪く、又施工に熟練を要する問題があったばかりか、開口部に対する枠体の固定が不安定化する恐れがある等、均一な施工品質を確保し難い問題があったのである。
【００１１】
本発明は、かかる従来の問題点を解決し得る建物の開口部用スペーサの提供を課題とするものである。
【００１２】
【課題を解決するための手段】
前記課題を解決するため、本発明は以下の手段を採用する。
即ち本発明に係る建物の開口部用スペーサは、建物の開口部に、その前側から後側に向けて枠体を嵌め入れ、該枠体を該開口部の内面にネジ釘を以って固定するに際し、該枠体と前記開口部の内面との間に形成された隙間に介在させるために用いられる建物の開口部用スペーサであって、樹脂製の、０．３〜１．０ｍｍの肉厚を有する、略同一肉厚の長方形板状のスペーサ片の複数枚が、向きを合致させて重ね合わせられると共に、各スペーサ片は、前記ネジ釘の軸部を導入させる導入溝が、一方の短辺で開放し且つ他方の短辺に向けて延長する如く構成されており、該他方の短辺において相互が分離可能に接合されてなり、且つ、該導入溝の開放端寄り部分は、その幅が、前記ネジ釘の軸部の径よりも小さい幅狭部とされ、該幅狭部から開放端に向かう部分は末広がりの案内部に形成されており、又、前記スペーサ片は、前記導入溝の奥端の両側に、前記ネジ釘を嵌め入れるための嵌入凹部が連設されたものとして構成されている。
【００１３】
【発明の実施の形態】
以下、本発明の実施の形態を図面に基づいて説明する。
図１〜７において本発明に係る建物の開口部用スペーサ（以下スペーサという）１は、建物の窓の開口部２に、その前側から後側に向けて、矩形に枠組みされた枠体（サッシュ）３を嵌め入れ、該枠体３を該開口部２の内面５にネジ釘６を以って固定するに際し、該枠体３と前記開口部２の内面５との間に形成された隙間７に介在させるために用いられるものであり、同一形状且つ同一寸法のスペーサ片９を多数枚重ね合わせ、且つ各スペーサ片９を、例えば同一の側縁で、相互が分離可能に接合してなるものである。なお図６〜７においては、説明の便宜上、スペーサ１の全体にハッチングを付している。又図４は、開口部２に枠体３を嵌め入れた状態を後側（屋内側）から見た説明図であるが、同図においては、スペーサ１の配置状態とネジ釘６の締め付け状態を説明する便宜上、ネジ釘６を実線で示すと共に、スペーサ１にハッチングを付している。
【００１４】
前記枠体３は、図２に示すように、上下の枠１０，１１と左右の枠１２，１３を矩形状に接合して構成されており、図７に示すように、内外の障子１５，１５が、該枠体３の上下のレール１７，１９に案内されて摺動できる。
【００１５】
又前記上下左右の枠１０，１１，１２，１３は、夫々、図８〜９に拡大して示すように、前記開口部の内面５にネジ釘６を以って固定される固定部２１が、枠の長さ方向に延長する如く設けられており、該固定部２１は、前記開口部２の内面５を仕上げる仕上材２３の前面２５に当接し得る後側当接部分２６と、前記開口部２の前端周縁２７に当接し得る前側当接部分２９を有している。そして該後側当接部分２６は、前記内面５に向けて突出する突出片部３０を有しており、該突出片部３０は、その先端に、該内面５と平行して前方に突出する後側支持片３１を有している。又前記前側当接部分２９は、その後面３２に、該後側支持片３１と向き合う状態で前側支持片３３が突出されている。
【００１６】
そして前記開口部２は、前記枠体３を嵌めやすくするために、図２に示すように、開口部の上下長さＬ１及び左右長さＬ２を、枠体３の嵌め入れ部分の上下長さＬ３、左右長さＬ４よりも若干大きく形成している。
【００１７】
前記スペーサ片９は、樹脂製、例えばポリプロピレン製の長方形薄板状に形成され、その肉厚は０．３〜１．０ｍｍに設定されている。本実施の形態においては、全てのスペーサ片９が、０．５ｍｍの肉厚に設定されている。そして該スペーサ片９は、図１、図１０に示すように、その長手中央線に沿って、一方の短辺３５で開放し且つ他方の短辺３６に向けて延長する如く、前記ネジ釘６の軸部３７（図８〜９）を導入させる導入溝３９が設けられると共に、該導入溝３９の奥端３８の両側に、前記ネジ釘６の軸部３７を嵌め入れるための円弧状の嵌入凹部４０，４０が連設されている。本実施の形態においては、図２０に示すように、軸部３７の半分強の部分が嵌入凹部４０に嵌め入れ可能とされている。なお本実施の形態においては、前記導入溝３９が上下方向に延長する状態で見て、スペーサ片９の重心が、前記奥端３８よりも下に存在せしめられている。
【００１８】
そして該導入溝３９の開放端寄り部分は、その幅が前記軸部３７の径よりも稍小さい幅狭部４２とされており、該幅狭部４２から開放端４３に向かう部分は末広がりに拡大する案内部４５とされている。
【００１９】
かかる構成のスペーサ片９の所要枚数が、図１、図１１に示すように、その向きを合致させて重ね合わせられ、且つ前記他方の短辺３６側において、スペーサ片９，９相互が分離可能に熱溶着されることにより、長手中央線に沿ってＴ字状の溝部４４が設けられてなる前記スペーサ１が形成される。本実施の形態においては、例えば２０枚のスペーサ片９が重ね合わせられ、１０ｍｍ厚さのスペーサとして出荷される。この熱溶着は、前記短辺の全長に亘って行うことの他、例えば図１２に示すように、所要枚数のスペーサ片９を重ね合わせて後、前記短辺側の面部４７の両側で、加熱された金属棒を押し当てて樹脂を溶かしながら窪み部４９，４９を形成することにより行うこともできる。この場合は、スペーサ片９，９相互が、該窪み部４９，４９の縁部５０で部分的に熱溶着される。
【００２０】
次に、該スペーサ１を用いて前記枠体３を前記開口部２の内面５にネジ釘６を以って固定する工程を説明する。
【００２１】
図１３は、前記枠体３の下の枠１１の後側支持片３１と前側支持片３３を前記開口部の下の面５１に当接させる（図９）と共に、前記前側当接部分２９を前記開口部の前端周縁２７に当接させて（図９）、枠体３を開口部２に嵌め入れた状態を後側（屋内側）から見た説明図であり、該下の枠１１が、その挿通孔を挿通する前記ネジ釘６を以って前記下の面５１に固定されている。又、枠体の上の枠１０、左右の枠１２，１３が、その挿通孔を挿通するネジ釘６を以って、開口部２の上の面５３、左右の面５５，５６に仮り締めされている。この状態で、前記上の枠１０の固定部２１（後側支持片３１、前側支持片３３）と開口部の上の面５３との間に１０ｍｍ程度の隙間７ａが設けられると共に、前記左の枠１２と開口部の左の面５５との間、及び、前記右の枠１１と開口部の右の面５６との間に８〜１２ｍｍ程度の隙間７ｂ，７ｃが形成されている。図１４は右の枠１３に関しての断面図であり、図１３においては、説明の便宜上、締め付け状態にあるネジ釘６を実線で示している。
【００２２】
この状態で、前記上の隙間７ａ及び左右の隙間７ｂ，７ｃに前記スペーサ１を挿入するのであるが、この挿入要領を、右の隙間７ｃにスペーサ１を挿入する場合を例にとり、図１５〜２０に基づいて説明すれば、次のようである。なお説明の便宜上、図１６〜２０においては、前記前側当接部分２９と後側当接部分２６を一点鎖線で示している。
【００２３】
前記スペーサ１の厚さは、前記隙間７ｃの幅に合わせて設定される。製造されたスペーサ１の厚さが前記のように１０ｍｍであるとした場合、スペーサ片９の何枚かを切り離し、或いは、既に切り離されている何枚かのスペーサ片をこれに加えて、前記隙間７ｃに略密接に挿入可能となるようにスペーサ１の厚みが設定されるのである。この厚みの設定は、各スペーサ片９の肉厚が０．５ｍｍに設定されているため、０．５ｍｍ単位で行うことができる。
【００２４】
このようにして所定厚さに設定されたスペーサ１を、図１４に実線で示し、又図１５〜１６に示すように、前記導入溝３９の延長方向が前記後側当接部分２６の延長方向と交差する向きにして、例えば略直交する向きにして、前記仮り締め状態にあるネジ釘６の軸部３７の、前記隙間７ｃに存する部分５７（図１４）を、前記末広がりの案内部４５に嵌め入れる。本実施の形態においては、導入溝３９の奥端３８の両側に嵌入凹部４０，４０が設けられているため、該部分５７を前記案内部４５に嵌め入れる際に、スペーサの方向を考慮する必要がない。
【００２５】
その後、前記スペーサ１を、図１６に矢印Ｆ１で示すように、前記前側当接部分２９に向けて前方に押し込む。これにより図１７に示すように、前記幅狭部４２が弾性的に拡開して、軸部３７が前記導入溝３９内に導入せしめられる。この導入後に前記幅狭部４２が図１８に示すように弾性的に復元するため、軸部３７が幅狭部４２を不用意に抜け出る恐れがない。
【００２６】
その後、前記導入溝３９が上下方向を向き且つ導入溝の奥端３８が上に位置するように、スペーサ１を図１８、図１５に矢印Ｆ２で示すように、垂直面内で、前記軸部３７回りに上向きに略９０度回転させると、図１９に示すように、重力の作用によりスペーサ１は下降し、軸部３７が前記導入溝３９の奥端３８に位置せしめられる。前記のように、スペーサ片９の重心が、奥端３８よりも下に存在するため、スペーサ１の下降した状態が安定的に保たれる。
【００２７】
然る後、図１９に矢印Ｆ３で示すように、スペーサ１を前側に向けて押すと、図２０に示すように、後側に存する嵌入凹部４０ａに軸部３７が嵌め入れられ、且つスペーサ１の前側の面６０が前記前側当接部分２９の後面３２に略当接状態となる。ここに略当接状態になるとは、前記前側の面６０が前記後面３２に完全に当接することの他、施工状態によっては、０．５〜１．０ｍｍ程度の隙間が生ずる場合を含むものである。この当接により、スペーサ１が軸部３７回りに回転する恐れがないと共に、スペーサ１は、後側当接部分２６から後方に突出しない状態で前記隙間７ｃに完全に納められた状態となる。右側の隙間７ｃにスペーサ１を挿入する要領は前記と同様である。
【００２８】
前記上の隙間７ａにスペーサ１を挿入する要領も、前記と略同様である。これを図２１〜２４に基づいて説明する。なお説明の便宜上、図２１〜２４においては、前記前側当接部分２９と後側当接部分２６を一点鎖線で示している。先ず、所定厚さに設定されたスペーサ１を、図２１に示すように、前記導入溝３９の延長方向が前記後側当接部分２６の延長方向と交差する水平状態にして、例えば略直交する水平状態にして、前記仮り締め状態にあるネジ釘６の軸部３７の、前記隙間７ａに存する部分５７を前記末広がりの案内部４５に嵌め入れる。
【００２９】
その後、前記スペーサ１を、図２１に矢印Ｆ４で示すように、前記前側当接部分２９に向けて前方に押し込むと、前記幅狭部４２が弾性的に拡開して、図２２に示すように、軸部３７が導入溝３９内に導入せしめられる。この導入後に前記幅狭部４２が弾性的に復元するため、軸部３７が幅狭部４２を不用意に抜け出る恐れがない。その後、前記スペーサ１を図２２に矢印Ｆ５で示すように、水平面内で、前記軸部３７回りに略９０度回転させる。その後図２３に示すように、該軸部３７が導入溝３９の奥端３８に位置するように、図２２に矢印Ｆ６で示すように移動させ、然る後、スペーサ１を図２３に矢印Ｆ７で示すように、前側に向けて押すと、図２４に示すように、後側に存する嵌入凹部４０ａに軸部３７が嵌め入れられ、且つスペーサ１の前側の面６０が前記前側当接部分２９の後面３２に略当接状態となる。ここに略当接状態になるとは、前記前側の面６０が前記後面３２に完全に当接することの他、施工状態によっては、０．５〜１．０ｍｍ程度の隙間が生ずる場合を含むものである。この当接により、スペーサ１が軸部３７回りに回転する恐れがないと共に、スペーサ１は、後側当接部分２６から後方に突出しない状態で前記隙間７ａに完全に納められた状態となる。
【００３０】
前記のように厚さが設定されたスペーサ１は、必要に応じ、図１３に示すネジ釘間６２にも挿入される。
【００３１】
然る後、上の枠１０、左右の枠１２，１３に関して各ネジ釘６を本締めすると、図８〜９に示すように、左右の枠１２，１３及び上の枠１０の有する前記後側支持片３１と前側支持片３３が、開口部の内面５に当接状態にあるスペーサ１を該内面５に向けて押圧し、これにより、枠体３が開口部２に安定的に固定されることになる。図２５は、この本締め状態を右の枠１３に関して示すものである。この本締めは、前記のように、略９０度の回転によって矩形状のスペーサ１の長さ方向を枠の長さ方向に合致させた状態で行うため、スペーサ１の支持面積を最大に活用して枠体３を開口部の内面５に、より安定的に固定できることとなる。
【００３２】
又前記仕上材２３は、図６〜７に示すように、前記固定部２１の後側において開口部の内面５をカバーすることにより該内面を仕上げるもので、Ｌ字状に屈曲しており、図８〜９に示すように、その前面２５が、前記後側当接部分２６の後面６９に当接する。又図６〜７に示すように、その後端側の屈曲部の前面７０が、前記開口部の後端周縁７１に当接せしめられ、該内面５が仕上材２３で仕上げられる。
【００３３】
〔その他の実施の形態〕
本発明は、前記実施の形態で示したものに限定されるものでは決してなく、「特許請求の範囲」の記載内で種々の設計変更が可能であることはいうまでもない。その一例を挙げれば次のようである。
【００３４】
(1) 前記スペーサ片９は、前記した樹脂製の他、金属製であってもよい。
【００３５】
(2) 又スペーサ片９の形態は、矩形板状を呈するものであり、前記した長方形状の他、正方形状であってもよい。又、導入溝３９は、スペーサ片９の側縁で開放するものであれば、必ずしも直線状を呈するものには限られず、屈曲するものであってもよい。
【００３６】
(3) 図２６は本発明に係るスペーサ１を構成するスペーサ片９の他の態様を示すものであり、導入溝３９の奥端に、前記ネジ釘の軸部３７を嵌め入れるための嵌入凹部４０が該導入溝３９に対してＬ字状に屈曲する如く設けられている。
図１０や図２６に示す如く、嵌入凹部４０を導入溝３９に連設する場合、該嵌入凹部４０は、例えば図２７に示すように、ネジ釘の軸部３７の、前記隙間に存する部分５７の全体を嵌め入れるものであってもよい。
【００３７】
(4) 図２８〜２９は、本発明に係るスペーサ１を構成するスペーサ片９のその他の態様を示すものであり、図２８における導入溝３９は、その開放端寄り部分を除き、奥端３８に向かうにつれて徐々に拡大しており、又図２９における導入溝３９は、その開放端寄り部分を除き、その溝幅が矩形状に大きく拡大形成されている。
【００３８】
(5) 図３０はスペーサ片９のその他の態様を示すものであり、導入溝３９に前記嵌入凹部４０が設けられていない場合を示す。
【００３９】
(6) 又、スペーサ片９に設けられた導入溝３９が、例えば図３０に示すように、前記幅狭部４２を具えないものとして構成されることもある。
【００４０】
(7) 重ね合わせたスペーサ片を、相互が分離可能に接合するとは、前記のように熱融着で接合する他、接着剤を用いて接合してもよい。又、スペーサ片相互の接合は、相互が分離可能であるならば、スペーサ片の側縁で接合されることの他、スペーサ片の面部分で接合されてもよい。
又スペーサ片相互の接合は、例えばスペーサ片が長方形状に形成される場合、前記した短辺側で接合することの他、長辺側で接合することとしてもよい。更に、コーナ部を挟む２つの辺側で接合することもある。
【００４１】
(8) 本発明において建物の開口部とは、浴室ドアの開口部や部屋の出入口用の開口部、屋内外の出入口の開口部、掃出窓の開口部等、建物の開口部全般を言う。
【００４２】
【発明の効果】
本発明は以下の如き優れた効果を奏する。
(1) 本発明に係るスペーサは、０．３〜１．０ｍｍの肉厚を有する同一肉厚の矩形板状のスペーサ片を、向きを合致させて重ね合わせて構成すると共に、各スペーサ片を、相互が分離可能に接合している。
従って、建物の開口部に枠体を嵌め入れ、該枠体を該開口部の内面にネジ釘を以って固定するに際し、該枠体と該内面との間に形成された隙間にスペーサを介在させる際、本発明に係るスペーサによるときは、ベニヤ板を用いて形成された従来のスペーサによる場合とは異なり、０．３〜１．０ｍｍ単位でスペーサ厚さを設定でき、スペーサ厚さを微調節できる利点がある。
【００４３】
(2) 各スペーサ片は、ネジ釘の軸部を導入させる導入溝が、側縁で開放する如く設けられているため、該導入溝にネジ釘の軸部を導入させることにより、ネジ釘の締め付け力を、該スペーサを介して開口部の内面に直接的に伝えることができる。従って、従来のようにネジ釘間にスペーサを挿入する場合に比し、開口部の内面に対する枠体の固定の安定性を向上させることができる。
【００４４】
(3) 又各スペーサ片は、ネジ釘の軸部を導入させる導入溝が、側縁で開放し、且つこれと対向する側縁に向けて延長する如く設けられており、各スペーサ片が該導入溝において、前記軸部回りに回転可能となされている。
従って前記隙間をスペーサで埋める際、前記導入溝へのネジ釘の軸部の導入を、導入溝の長さ方向を、枠体を構成する枠の長さ方向と略直交する方向等の交差する方向にしてネジ釘に当てがって行うことができるため、該導入溝が図１０に示すように幅狭部４２を有する場合においても、スペーサの押し込みにより該軸部を導入溝に容易に導入させることができる。そして該導入溝に軸部を導入した後は、図１８に矢印で示すように、スペーサを該軸部回りに所要角度回転させることにより、スペーサの長さ方向を枠の長さ方向に略合致させることができ、これによりネジ釘を本締めした際の枠の支持面積の増大を図り得る。
【００４５】
(4) そして前記スペーサ片が、導入溝の奥端において、ネジ釘の軸部を嵌め入れるための嵌入凹部が、該導入溝に対してＬ字状に屈曲する如く連設されている場合は、スペーサを所要角度回転させて後、ネジ釘の軸部を該嵌入凹部に嵌め入れることにより、スペーサを該嵌入凹部の深さの分だけ前方向に移動させることができるため、スペーサを隙間の後方に突出させることなく該隙間に確実に納めることが可能となる。そしてこのように、スペーサを前方向への移動によって隙間に納めることにより、スペーサの前記回転を容易に行うことができながら、ネジ釘を本締めした際の、スペーサによる枠の支持面積の拡大を図り得る。
この場合、導入溝の奥端の両側に嵌入凹部を連設するときは、スペーサを隙間に挿入する際においてスペーサの方向を考慮しなくてよい利点がある。
【００４６】
(5) 導入溝の開放端寄りの部分に幅狭部を設け、該幅狭部から導入溝の開放端に向かう部分を末広がりの案内部とした場合は、末広がりの案内部にネジ釘の軸部を嵌め入れた状態でスペーサを導入溝の長さ方向で押し込むことにより、開放部を拡開させて軸部を導入溝に入り込ませることができ、その後における幅狭部の弾性的復元によって、導入溝に導入された軸部が不用意に外れるのを防止できることになる。
【００４７】
(6) 特に枠体が、前記開口部の内面にネジ釘を以って固定される固定部の前後に、該内面を仕上げる仕上材の外面に当接し得る後側当接部と、前記開口部の前端周縁に当接し得る前側当接部を有する如く構成し、又該スペーサ片の対向する長辺間の幅寸法を、前記前側当接部分の後面と前記後側当接部分の後面間の幅寸法と同一乃至それよりも小さく設定し、更に、前記ネジ釘の軸部が前記導入溝の奥端に存し、且つ、外の長辺側の側面が前記前側当接部分の内面に当接した状態で、後の長辺側の側面が前記前側当接部分から後方に突設しないように構成することにより、スペーサをネジ釘の軸部回りに所要角度回転させることによって、スペーサを、その長手方向を枠の長さ方向に合わせて前記隙間に確実に納めることができる。そしてネジ釘を本締めした際、スペーサによる枠の支持面積の増大を図りながら、枠体を開口部の内面に安定的に固定できる。
この場合特に、導入溝の奥端の一方或いは双方に嵌入凹部を設け、該嵌入凹部にネジ釘の軸部を嵌め入れるときに、スペーサ片の前の長辺側の側面が前記前側当接部分の後面に当接した状態で、後の長辺側の側面が前記後側当接部分から後方に突出しないように構成することにより、軸部を嵌入凹部に嵌め入れた状態においてスペーサの回転を阻止でき、前記隙間にスペーサを安定的に納めることができる。この軸部の嵌め入れに伴うスペーサの前方向への移動とスペーサの回転阻止により、ネジ釘の本締めした際の、スペーサによる枠の支持面積の一層の増大を図りながら、枠体を開口部の内面により安定的に固定できる。
【図面の簡単な説明】
【図１】  本発明に係るスペーサを示す斜視図である。
【図２】  建物の開口部と該開口部に固定される枠体を示す斜視図である。
【図３】  開口部に枠体を嵌め入れた状態を示す斜視図である。
【図４】  枠体を開口部の内面にスペーサを介在させて固定した状態を示す説明図である。
【図５】  枠体を開口部の内面にスペーサを介在させて固定した状態を示す斜視図である。
【図６】  枠体を開口部の内面にスペーサを介在させて固定した状態の一部分を拡大して示す横断面図である。
【図７】  枠体を開口部の内面にスペーサを介在させて固定した状態の一部分を拡大して示す縦断面図である。
【図８】  図６の部分拡大図である。
【図９】  図７の部分拡大図である。
【図１０】  スペーサ片を示す斜視図である。
【図１１】  スペーサの部分側面図である。
【図１２】  重ね合わせたスペーサ片の他の接合状態を示す斜視図である。
【図１３】  枠体を開口部の内面に固定するに際し、ネジ釘を仮締めした状態を示す説明図である。
【図１４】  枠体を開口部の内面に固定するに際し、ネジ釘を仮締めした状態を示す部分断面図である。
【図１５】  枠体を構成する右の枠と開口部の内面との間に形成された隙間にスペーサを挿入する工程を説明する斜視図である。
【図１６】  その工程において、スペーサの導入溝の開放端にネジ釘の軸部を当てがった状態を示す説明図である。
【図１７】  軸部が開放端を弾性的に押し広げた状態を示す説明図である。
【図１８】  その導入溝に軸部が導入された状態を示す説明図である。
【図１９】  その導入溝の奥端に軸部が位置せしめられた状態を示す説明図である。
【図２０】  導入溝の奥端に連設した嵌入凹部に軸部を嵌め入れた状態を示す説明図である。
【図２１】  枠体を構成する上の枠と開口部の内面との間の隙間にスペーサを挿入するに際し、導入溝の開放端にネジ釘の軸部を当てがった状態を示す説明図である。
【図２２】  そのスペーサの導入溝に軸部を導入させた状態を示す説明図である。
【図２３】  その軸部を導入溝の奥端に位置させた状態を示す説明図である。
【図２４】  導入溝の奥端に連設された嵌入凹部に軸部を嵌め入れた状態を示す説明図である。
【図２５】  ネジ釘を本締めして枠体を開口部の内面に固定した状態を示す一部断面図である。
【図２６】  スペーサ片の他の態様を示す正面図である。
【図２７】  スペーサ片の他の態様を示す正面図である。
【図２８】  スペーサ片のその他の態様を示す正面図である。
【図２９】  スペーサ片のその他の態様を示す正面図である。
【図３０】  スペーサ片のその他の態様を示す正面図である。
【図３１】  建物の窓の開口部に枠体を嵌め入れて固定する従来の施工方法を説明する斜視図である。
【図３２】  開口部に枠体を嵌め入れ、スペーサを介在させてネジ釘で固定した状態を示す説明図である。
【図３３】  その部分拡大断面図である。
【符号の説明】
１  スペーサ
２  開口部
３  枠体
６  ネジ釘
７  隙間
９  スペーサ片
１０  上の枠
１１  下の枠
１２  左の枠
１３  右の枠
２１  固定部
２３  仕上材
２６  後側当接部分
２７  開口部の前端周縁
２９  前側当接部分
３０  突出片部
３１  後側支持片
３３  前側支持片
３９  導入溝
４０  嵌入凹部
４２  幅狭部
４３  開放端
４５  案内部
【図１】
0004356864.tif 000002
【図２】
0004356864.tif 000003
【図３】
0004356864.tif 000004
【図４】
0004356864.tif 000005
【図５】
0004356864.tif 000006
【図６】
0004356864.tif 000007
【図７】
0004356864.tif 000008
【図８】
0004356864.tif 000009
【図９】
0004356864.tif 000010
【図１０】
0004356864.tif 000011
【図１１】
0004356864.tif 000012
【図１２】
0004356864.tif 000013
【図１３】
0004356864.tif 000014
【図１４】
0004356864.tif 000015
【図１５】
0004356864.tif 000016
【図１６】
0004356864.tif 000017
【図１７】
0004356864.tif 000018
【図１８】
0004356864.tif 000019
【図１９】
0004356864.tif 000020
【図２０】
0004356864.tif 000021
【図２１】
0004356864.tif 000022
【図２２】
0004356864.tif 000023
【図２３】
0004356864.tif 000024
【図２４】
0004356864.tif 000025
【図２５】
0004356864.tif 000026
【図２６】
0004356864.tif 000027
【図２７】
0004356864.tif 000028
【図２８】
0004356864.tif 000029
【図２９】
0004356864.tif 000030
【図３０】
0004356864.tif 000031
【図３１】
0004356864.tif 000032
【図３２】
0004356864.tif 000033
【図３３】
0004356864.tif 000034